(57)【特許請求の範囲】
【請求項１】
原稿載置台を覆う起伏可能な原稿カバーを有し、前記原稿載置台上の原稿画像を読み取る読取手段と、
前記読取手段と電気的に接続された表示手段と、
前記読取手段の後部側位置に設けられ、前記表示手段を、前記読取手段の上方位置かつ前記原稿カバ−における起伏動作の領域外の位置において、立ち上がった状態かつ読取手段の正面側を向いた状態に支持する支持部材とを備え、
前記原稿カバーは、起立動作の際の回転半径を小さくするように屈曲可能に形成されおり、所定の起立位置に固定可能であるとともに、その起立位置において起立動作の回転中心側の下部に対して屈曲される上部を所定角度に固定可能であり、かつ前記上部における上面に前記読取手段への入力操作部が形成されていることを特徴とする画像読取装置。
【請求項２】
原稿載置台を覆う起伏可能な原稿カバーを有し、前記原稿載置台上の原稿画像を読み取る読取手段と、
前記読取手段と電気的に接続された表示手段と、
前記読取手段の後部側位置に設けられ、前記表示手段を、前記読取手段の上方位置かつ前記原稿カバ−における起伏動作の領域外の位置において、立ち上がった状態かつ読取手段の正面側を向いた状態に支持する支持部材とを備え、
前記読取手段には前記表示手段の画面上での入力操作を行なうためのポインティングデバイスが接続され、このポインティングデバイスを保持する保持台が前記支持部材に形成された開口部に配され、前記保持台が、前記原稿カバーの起立動作に応じて支持部材の前面側へ進出し、前記原稿カバーの伏せ動作に応じて前記支持部材の背面側へ退行するように設けられていることを特徴とする画像読取装置。
【請求項３】
前記表示手段は、前記支持部材に支持され、前記読取手段の左右方向において前記読取手段の領域内に設けられていることを特徴とする請求項１または２に記載の画像読取装置。
【請求項４】
前記表示手段は、前記支持部材に支持され、前記読取手段の前後方向において前記読取手段の領域内に設けられていることを特徴とする請求項１または２に記載の画像読取装置。
【請求項５】
前記表示手段は、前記支持部材に支持され、前記読取手段の前後方向において伏した状態の前記原稿カバーの領域内に設けられていることを特徴とする請求項４に記載の画像読取装置。
【請求項６】
前記表示手段は、前記支持部材に支持され、前記読取手段の前後方向において前記読取手段の領域内に設けられ、かつ前記読取手段の後部側位置から前部側位置に進出した状態に設けられていることを特徴とする請求項１または２に記載の画像読取装置。
【請求項７】
前記支持部材は、下部が前記読取手段の後部側位置から上方に延び、上部が下部に対して前記読取手段の前部側へ屈曲した形状を有していることを特徴とする請求項６に記載の画像読取装置。
【請求項８】
前記支持部材は、前記読取手段の後部側位置から、前記読取手段の前部側へ傾斜する状態で上方に延びていることを特徴とする請求項６に記載の画像読取装置。
【請求項９】
前記支持部材は前記読取手段が載置された載置台に設けられていることを特徴とする請求項１から８の何れか１項に記載の画像読取装置。
【請求項１０】
前記支持部材は前記読取手段のハウジングに設けられていることを特徴とする請求項１から８の何れか１項に記載の画像読取装置。
【請求項１１】
前記表示手段は、前記支持部材に上下方向へ回動可能に取り付けられていることを特徴とする請求項１から１０の何れか１項に記載の画像読取装置。
【請求項１２】
前記表示手段は、表示面上でのタッチ入力が可能なタッチパネルからなることを特徴とする請求項１から１１の何れか１項に記載の画像読取装置。
【請求項１３】
前記表示手段はパネル形態をなしていることを特徴とする請求項１から１２の何れか１項に記載の画像読取装置。
【発明の詳細な説明】
【０００１】
【発明の属する技術分野】
本発明は、表示部を備えたスキャナ、ファクシミリあるいは複写機等の画像読取装置に関するものである。
【０００２】
【従来の技術】
従来、複写機等の画像読取装置は、図２０に示すように、原稿画像の読取処理に関する情報、例えば明るさなどの読取設定条件などの表示を行う表示装置１０１を備えている。この表示装置１０１は、画像読取装置の上面において、原稿読取部１０２の前方側位置に設けられた操作パネル上に、表示面を上方に向けた状態で配されている。なお、原稿読取部１０２は、開閉可能（起伏可能）な原稿カバー１０３を備えている。
【０００３】
また、近年、複写機、ファクシミリおよびスキャナ等の画像読取装置では、高機能化および多機能化により、フルカラー読取における色合いの調整や、コントラスト、文字や写真などの原稿の種別に応じた画像データの処理など、様々な読取モードによる読取画像の処理が可能となっている。このため、上記のような操作パネル上の表示装置１０１では、表示面が狭いことから、複雑に設定された多数の読取条件についての情報を十分に表示しきれなくなっている。
【０００４】
そこで、例えば特開平１０−１０５００６号では、表示装置に情報を表示する場合において、機能グループ毎に表示画面を切り替える表示制御を行うことが提案されている。しかしながら、この場合には、表示画面を切り替える操作などが必要となって画像読取装置の操作が煩雑になるとともに、確認したい複数の情報を同時表示できない事態も生じる。また、操作に不慣れな使用者には、表示の切り替えすら容易ではなく、非常に使いにくいものになっている。
【０００５】
また、他の画像読取装置では、表示装置の解像度を高くして文字を小さく表示することも提案されているが、これでは、表示画面が使用者にとって非常に見づらいものとなる。
【０００６】
上記の問題に対し、表示装置１０１の表示画面を大きなものにすることも考えられるが、このような構成では画像読取装置の大型化を招来する。さらに、原稿読取部１０２の前方側に設けられた表示装置１０１の大型化により、原稿読取部１０２が相対的に後方側に移動することになるので、使用者が原稿読取部１０２に原稿を置く動作が容易ではなくなる。
【０００７】
【発明が解決しようとする課題】
一方、画像読取装置としては、特開平４−２６５０６１号に示すように、画像読取装置とは別に表示装置を設けたものが知られている。この構成では、図２１に示すように、キオスク１１１に画像読取装置であるスキャナ１１２が収容され、キオスク１１１のフロントパネル１１３に表示装置１１４が設けられている。したがって、表示装置１１４はスキャナ１１２から水平方向に離れた位置において、表示画面をキオスク１１１の正面に配した状態となっている。このような構成では、スキャナ１１２に影響することなく表示装置１１４の大型化（表示画面の大型化）が可能であるから、使用者によるスキャナ１１２の操作性と表示装置１１４の視認性は確保できる。ところが、上記のような構成では、スキャナ１１２および表示装置１１４を含む装置、即ちキオスク１１１が大型化するという問題点を有している。
【０００８】
したがって、本発明は、使用者による表示装置の良好な視認性を確保でき、かつ小型化が可能な画像読取装置の提供を目的としている。
【０００９】
【課題を解決するための手段】
上記の課題を解決するために、本発明の画像読取装置は、原稿載置台を覆う起伏可能な原稿カバーを有し、前記原稿載置台上の原稿画像を読み取る読取手段と、前記読取手段と電気的に接続された表示手段と、前記読取手段の後部側位置に設けられ、前記表示手段を、前記読取手段の上方位置かつ前記原稿カバ−における起伏動作の領域外の位置において、立ち上がった状態かつ読取手段の正面側を向いた状態に支持する支持部材とを備えていることを特徴としている。
【００１０】
上記の構成によれば、表示手段は、読取手段の後部側位置に設けられた支持部材により、読取手段の上方位置かつ原稿カバ−における起伏動作の領域外の位置に支持されている。したがって、原稿カバーを起立させたとき、原稿カバーが表示手段と衝突することがない。これにより、表示手段の損傷を防止することができる。また、例えば本などの厚みのある原稿画像の読み取りを行なうために原稿カバーを起立させた状態で読取手段を操作する場合に、原稿カバーにより表示手段の視認性が害される事態を回避することができる。
【００１１】
また、前記表示手段は読取手段の上方位置に設けられているので、読取手段の左右方向において、読取手段の領域からの表示手段のはみ出しを抑制し、小型化が可能となる。
【００１２】
上記の画像読取装置は、前記表示手段が、前記支持部材に支持され、前記読取手段の左右方向において前記読取手段の領域内に設けられている構成としてもよい。
【００１３】
上記の構成によれば、画像読取装置は、表示手段が左右方向において読取手段からはみ出すことがない。この結果、読取手段の左右方向において読取手段よりも大きな設置スペースを必要とせず、小型の構成とすることができる。
【００１４】
上記の画像読取装置は、前記表示手段が、前記支持部材に支持され、前記読取手段の前後方向において前記読取手段の領域内に設けられている構成としてもよい。
【００１５】
上記の構成によれば、表示手段が前後方向において読取手段からはみ出すことがない。この結果、読取手段の前後方向における支持部材等のはみ出しを抑制でき、小型の構成とすることができる。
【００１６】
上記の画像読取装置は、前記表示手段が、前記支持部材に支持され、前記読取手段の前後方向において、伏した状態の前記原稿カバーの領域内に設けられている構成としてもよい。
【００１７】
上記の構成によれば、表示手段が前後方向において読取手段の原稿カバーからはみ出すことがなく、読取手段の前後方向における支持部材等のはみ出しをさらに確実に抑制でき、確実に小型化を促進することができる。
【００１８】
上記の画像読取装置は、前記表示手段が、前記支持部材に支持され、前記読取手段の前後方向において前記読取手段の領域内に設けられ、かつ前記読取手段の後部側位置から前部側位置に進出した状態に設けられている構成としてもよい。
【００１９】
上記の構成によれば、表示手段が読取手段の後部側位置から前部側位置に進出した状態に設けられているので、表示手段を支持する支持部材が読取手段の後部側位置に設けられている構成であっても、表示手段は画像読取装置を操作する使用者に接近することになる。したがって、使用者による表示手段の視認性が向上するとともに、表示手段がタッチパネルである場合にそのタッチ操作における操作性を向上することができる。
【００２０】
さらに、表示手段が読取手段の後部側位置から前部側位置に進出した状態に設けられていることにより、表示手段が読取手段の後部側位置における真上方向に設けられている場合よりも、起伏動作において回動する原稿カバーと表示手段との干渉を回避するための表示手段の高さ位置を低くすることができる。これにより、使用者による表示手段に対する上記視認性および操作性をさらに高めることができる。
【００２１】
上記の画像読取装置は、前記支持部材が、下部が前記読取手段の後部側位置から上方に延び、上部が下部に対して前記読取手段の前部側へ屈曲した形状を有している構成であってもよい。
【００２２】
上記の構成によれば、起立状態に開放した原稿カバーが支持部材の下部に当接するまでの開放角度について大きい角度を確保することができる。
【００２３】
上記の画像読取装置は、前記支持部材が、前記読取手段の後部側位置から、前記読取手段の前部側へ傾斜する状態で上方に延びている構成としてもよい。
【００２４】
上記の構成によれば、表示手段を読取手段の後部側位置から前部側位置に進出させるための支持部材の形状を簡単なものとすることができ、支持部材の形成が容易となる。
【００２５】
上記の画像読取装置において、前記支持部材は前記読取手段が載置された載置台に設けられている構成としてもよい。
【００２６】
上記の構成によれば、支持部材を載置台の一部として形成することができ、支持部材の形成が容易となる。
【００２７】
上記の画像読取装置において、前記支持部材は前記読取手段のハウジングに設けられている構成としてもよい。
【００２８】
上記の構成によれば、画像読取装置は、読取手段、支持部材および表示手段が一体化された形態となるので、さらに小型化が可能となる。
【００２９】
上記の画像読取装置は、前記表示手段が、前記支持部材に上下方向へ回動可能に取り付けられている構成としてもよい。
【００３０】
上記の構成によれば、表示手段を上下方向に回動させて、使用者の身長に適合させることや反射光による視認性の低下を回避することなどを目的として、最適な角度に配することができる。
【００３１】
上記の画像読取装置は、前記原稿カバーが、起立動作の際の回転半径を小さくするように屈曲可能に形成されている構成としてもよい。
【００３２】
上記の構成によれば、表示手段の高さを低くすることができ、上下方向において、読取手段と表示手段とを近づけて配置することができる。したがって、表示手段を見ながらの読取手段の操作が容易となる。また、表示手段がタッチパネルである場合に、表示手段をタッチ操作しながらの読取手段の操作が容易となる。さらに、表示手段、即ち支持部材の高さを低くできることから、画像読取装置の小型化を促進することができる。
【００３３】
上記の画像読取装置は、前記原稿カバーが、所定の起立位置に固定可能であるとともに、その起立位置において起立動作の回転中心側の下部に対して屈曲される上部を所定角度に固定可能であり、かつ前記上部における上面に前記読取手段への入力操作部が形成されている構成としてもよい。
【００３４】
上記の構成によれば、原稿カバーを利用して入力操作部が設けられているので、別途独立した入力操作部、例えばキーボードやポインティングデバイス（例えばマウス）を設ける必要がない。これにより、読取手段の領域からのマウス台等の突出や画像読取装置を構成するユニット（例えばキーボード）等の増加を抑制でき、構成の簡素化かつ小型化が可能である。
【００３５】
さらに、表示手段の高さを低くすることができ、上下方向において、読取手段と表示手段とを近づけて配置することができる。したがって、表示手段を見ながらの読取手段の操作が容易となる。また、表示手段がタッチパネルである場合に、表示手段をタッチ操作しながらの読取手段の操作が容易となる。さらに、表示手段、即ち支持部材の高さを低くできることから、画像読取装置の小型化を促進することができる。
【００３６】
上記の画像読取装置において、前記読取手段には前記表示手段の画面上での入力操作を行なうためのポインティングデバイスが接続され、このポインティングデバイスを保持する保持台が前記支持部材に形成された開口部に配され、前記保持台が、前記原稿カバーの起立動作に応じて支持部材の前面側へ進出し、前記原稿カバーの伏せ動作に応じて前記支持部材の背面側へ退行するように設けられている構成としてもよい。
【００３７】
上記の構成によれば、支持部材を利用してポインティングデバイス（例えばマウス）を設けているので、読取手段の領域外への保持台（例えばマウス台）の突出を抑制でき、小型化が可能である。また、原稿カバーの開閉動作に応じて保持台が進退移動するので、起立状態に開放された原稿カバーが保持台と衝突する事態を回避でき、原稿カバーの円滑な起伏動作、および保持台（ポインティングデバイス）の円滑な出し入れが可能となる。
【００３８】
上記画像読取装置は、前記表示手段が、表示面上でのタッチ入力が可能なタッチパネルからなる構成としてもよい。
【００３９】
上記の構成によれば、表示手段の機能を高め、画像読取装置の利便性を向上することができる。
【００４０】
上記の画像読取装置は、前記表示手段がパネル形態をなしている構成としてもよい。
【００４１】
上記の構成によれば、画像読取装置の軽量化と小型化を促進することができる。
【００４２】
【発明の実施の形態】
〔実施の形態１〕
本発明の実施の一形態を図１ないし図７に基づいて以下に説明する。
本実施の形態の画像読取装置は、図１および図２に示す画像プリントシステム１に適用されている。この画像プリントシステム１は、例えばコンビニエンスストアに設置される。画像プリントシステム１は、スキャナ（読取手段）２、液晶ディスプレイ３、画像形成装置であるプリンタ４および載置台５を備えている。本実施の形態において、プリンタ４は例えば床上に配され、載置台５はプリンタ４の背面に取り付けられている。また、スキャナ２は、載置台５におけるプリンタ４上の位置に載置され、液晶ディスプレイ３はスキャナ２と電気的に接続され、載置台５のディスプレイ支持部（支持部材）６に取り付けられている。また、画像読取装置９は、画像読取部となるスキャナ２、表示部となる液晶ディスプレイ３およびディスプレイ支持部６を備えている。
【００４３】
スキャナ２は、上面部にスキャナ２の後部側位置を中心に起伏可能、即ち原稿載置ガラス１２に対して開閉可能な原稿カバー１１を備えている。スキャナ２は、図３に示すように、原稿載置ガラス１２上に載置された原稿をランプユニット１３により露光し、露光した原稿画像を、ランプユニット１３とともに往復動作する第１ミラー１４と、第１ミラー１４の１／２の速度で移動する第２ミラー１５および第３ミラー１６とによってＣＣＤ１７に導く。これによりＣＣＤ１７からは原稿画像のデータ（以下、画像データと称する）が得られ、この画像データは例えばプリンタ４に出力される。プリンタ４では、スキャナ２から入力された画像データを用紙上にプリントし、その用紙を排紙部４ａ上に排出する。
【００４４】
液晶ディスプレイ３は、例えば、タッチ操作により入力操作が可能なタッチパネルからなり、画像読取装置９の正面側を向き、立ち上がった状態に配置されている。液晶ディスプレイ３には、例えば、スキャナ２による原稿画像の読取処理に関する各種情報が表示される。液晶ディスプレイ３は、スキャナ２の原稿カバー１１が起伏動作を行なうときにこれと干渉することがないよう、原稿カバー１１の回動領域よりも上方の位置に設けられている。さらに、液晶ディスプレイ３は、使用者による視認性を高めるため、およびタッチ操作が容易となるように、前方へ進出した位置に配されている。したがって、本実施の形態において、液晶ディスプレイ３は、図４に示すように、スキャナ２の前後方向においてはスキャナ２の領域内、さらには原稿カバー１１の領域内に配され、スキャナ２の左右方向においては、スキャナ２の領域内に配されている。
【００４５】
上記のように液晶ディスプレイ３を配するため、載置台５の、液晶ディスプレイ３を支持するディスプレイ支持部６は、スキャナ２の背面側において垂直に立ち上がった後、上端部付近において前方へほぼ水平な状態に屈曲されている。そして、液晶ディスプレイ３は、ディスプレイ支持部６の先端部に、回動連結部８により上下方向に回動可能に取り付けられている。なお、液晶ディスプレイ３と原稿カバー１１との干渉の回避は、液晶ディスプレイ３が何れの回動位置にある場合にも可能となっている。
【００４６】
ここで、図２において、使用者は、例えば日本人の標準的体形である、身長１７５ｃｍ、視線高さ１６５ｃｍ、腰高さ１００ｃｍとして示している。そして、液晶ディスプレイ３については、使用者が見易いように、ほぼ視線の高さである地上高１７０ｃｍの位置に配された場合を示し、スキャナ２については使用者の腰の高さ位置よりも低い位置、即ち地上高１００ｃｍよりも低い位置に配された場合を示している。
【００４７】
なお、原稿カバー１１における前後方向の長さ、即ち開閉の際の回転における半径方向の長さは、定形Ａ４サイズの短辺よりも長い３０〜５０ｃｍであり、液晶パネルが例えば１５インチの場合、液晶ディスプレイ３の前後方向長さは、３０ｃｍ程度となる。この場合、スキャナ２の高さは、１７０−（３０〜５０）−３０＝９０〜１１０ｃｍとなり、１０ｃｍ余裕を持たせて８０〜１００ｃｍとしても、スキャナ２への原稿載置には支障がない。
【００４８】
上記の構成において、スキャナ２によりシート状の原稿画像の読み取りを行なう際には、原稿カバー１１を開いて原稿載置ガラス１２上に原稿を載置し、原稿カバー１１を閉じた後、読み取り動作を開始する。読取条件の入力は、タッチパネルである液晶ディスプレイ３に対して行なわれ、設定された読取条件等の情報が、液晶ディスプレイ３に表示される。
【００４９】
上記の操作において、原稿カバー１１を起立させたとき、液晶ディスプレイ３はスキャナ２の原稿カバー１１の回動領域よりも上方の位置に設けられているので、原稿カバー１１が液晶ディスプレイ３と衝突することがない。これにより、液晶ディスプレイ３の損傷が防止されている。また、液晶ディスプレイ３は、ディスプレイ支持部６の下端位置に対して前方へ進出した位置、即ちスキャナ２の前後方向において原稿カバー１１の領域内に配され、使用者に近づけられているので、使用者による液晶ディスプレイ３の視認性およびタッチ操作における操作性が向上している。
【００５０】
また、スキャナ２により本などの厚みのある原稿画像の読み取りを行なう際には、原稿カバー１１を開いて原稿載置ガラス１２上に原稿を載置し、図２に示すように、原稿カバー１１を閉じることなく、使用者が原稿を原稿載置ガラス１２に対して押さえ込んだ状態で読み取り動作を開始する。読取条件の入力は、同様に、タッチパネルである液晶ディスプレイ３に対して行なわれ、設定された読取条件等の情報が、液晶ディスプレイ３に表示される。
【００５１】
上記の操作において、液晶ディスプレイ３への読取条件の入力およびその確認は、原稿カバー１１を起立させた状態で行なわれる。しかしながら、液晶ディスプレイ３の表示面が原稿カバー１１により覆われることがないので、原稿カバー１１により液晶ディスプレイ３の操作性および視認性が害されることがない。
【００５２】
また、液晶ディスプレイ３は、前方に進出して設けられていることにより、スキャナ２の背部位置における真上方向に設けられている場合よりも、回動する原稿カバー１１との干渉を回避するための高さ位置を低くすることができる。これにより、使用者による液晶ディスプレイ３の視認性および操作性をさらに高めることができる。
【００５３】
これに対し、例えば図５および図６に示した構成では、上記の各機能を得るこことができない。図５に示した構成では、スキャナ２に原稿カバー１１と重なり合う状態で液晶ディスプレイ３が起伏可能に設けられている。このような構成では、原稿カバー１１を起立させたときに、原稿カバー１１が液晶ディスプレイ３と衝突するので、これを回避する構造が必要となる。また、原稿カバー１１を起立させた状態では、液晶ディスプレイ３の視認性およびタッチパネルとしての液晶ディスプレイ３の操作性がほぼ完全に害される。
【００５４】
また、図６に示した構成では、液晶ディスプレイ３がスキャナ２の上方かつ前方への進出位置に配されているものの、回動する原稿カバー１１との干渉を回避可能となる上方位置に配されていない。したがって、原稿カバー１１を起立させた状態では、原稿カバー１１が液晶ディスプレイ３と衝突し、液晶ディスプレイ３の視認性およびタッチパネルとしての液晶ディスプレイ３の操作性が害されることになる。
【００５５】
また、画像読取装置９の液晶ディスプレイ３は、スキャナ２の左右方向においてスキャナ２の領域内に配されているので、スキャナ２および液晶ディスプレイ３からなる画像読取装置９は、スキャナ２の左右方向においてスキャナ２よりも大きな設置スペースを必要とせず、小型の構成となっている。
【００５６】
また、液晶ディスプレイ３は、スキャナ２の前後方向においてはスキャナ２の領域内に配されているので、前後方向においてスキャナ２からはみ出すことがない。この結果、スキャナ２の前後方向におけるディスプレイ支持部６等のはみ出しを抑制でき、小型の構成とすることができる。この点は、液晶ディスプレイ３を原稿カバー１１の領域内に配した場合にさらに確実なものとなる。
【００５７】
また、液晶ディスプレイ３は、回動連結部８を中心として上下方向に回動可能であるから、使用者の身長に適合させることや反射光による視認性の低下を回避することなどを目的として、最適な角度に配することができる。
【００５８】
なお、上記の構成において、液晶ディスプレイ３は、スキャナ２の背面側において垂直に立ち上がった後、上端部付近において前方へほぼ水平な状態に屈曲されたディスプレイ支持部６により支持され、前方へ進出した位置に配されているものとした。しかしながら、液晶ディスプレイ３は、図７に示すように、スキャナ２の背面側において垂直に立ち上がったディスプレイ支持部（支持部材）２４により支持され、スキャナ２の背部位置の上方に設けられた構成であってもよい。この場合の画像プリントシステム２１は、上記ディスプレイ支持部２４を有する載置台２３を備えたものとなる。したがって、画像読取装置２２は、スキャナ２、液晶ディスプレイ３およびディスプレイ支持部２４を備えたものとなる。この画像読取装置２２においても、液晶ディスプレイ３は、スキャナ２の原稿カバー１１が起伏動作を行なうときにこれと干渉することがないよう、原稿カバー１１の回動領域よりも上方の位置に設けられている。ディスプレイ支持部２４以外の構成は前記画像読取装置９と同様である。
【００５９】
上記画像プリントシステム２１における画像読取装置２２では、液晶ディスプレイ３が前方へ進出した位置に配されていることによる液晶ディスプレイ３の視認性および操作性向上の利点を得ることができない。しかしながら、例えば、原稿カバー１１が液晶ディスプレイ３と衝突することがなく、液晶ディスプレイ３の損傷が防止されることや、液晶ディスプレイ３の表示面が原稿カバー１１により覆われることがないので、原稿カバー１１により液晶ディスプレイ３の操作性および視認性が害されることがない。
【００６０】
また、この場合にも、液晶ディスプレイ３は、スキャナ２の左右方向においてスキャナ２の領域内に配されているので、画像読取装置２２は、同様に、小型の構成となっている。また、液晶ディスプレイ３をスキャナ２の前後方向においてスキャナ２の領域内に配するようにした場合には、上記小型化をさらに促進することができる。
【００６１】
〔実施の形態２〕
本発明の実施の他の形態を図８に基づいて以下に説明する。
図８に示すように、本実施の形態の画像読取装置３１は、前記スキャナ２および液晶ディスプレイ３を備え、例えばコンビニエンスストアに設置される。なお、同図では、前記プリンタ４を備えず、画像プリントシステムではなく画像読取装置３１とした場合を示している。
【００６２】
画像読取装置３１では、液晶ディスプレイ３が回動連結部８を介してディスプレイ支持部材（支持部材）３２により支持されている。このディスプレイ支持部材３２は、前記ディスプレイ支持部６とほぼ同様の形状を有し、下端部がスキャナ２のハウジングにおける後端部に取り付けられている。
【００６３】
したがって、この画像読取装置３１においても、前記画像読取装置９と同様、液晶ディスプレイ３は、原稿カバー１１の回動領域よりも上方の位置に設けられ、かつ前方へ進出した位置に配されている。また、液晶ディスプレイ３は、スキャナ２の前後方向においては原稿カバー１１の領域内に配され、スキャナ２の左右方向においては、スキャナ２の領域内に配されている。
【００６４】
上記の構成により、画像読取装置３１において、液晶ディスプレイ３への原稿カバー１１の衝突を回避して液晶ディスプレイ３の損傷を防止できる点、使用者による液晶ディスプレイ３の視認性、タッチ操作性を向上できる点、回動する原稿カバー１１との干渉を回避するための高さ位置を低くできる点、小型化できる点、液晶ディスプレイ３を上下方向に回動して視認性の低下を回避できる点等は、前述の画像読取装置９と同様である。
【００６５】
なお、画像読取装置３１においても、ディスプレイ支持部材３２に代えて図７に示したディスプレイ支持部２３と同様の構成のディスプレイ支持部材を採用可能である点は同様である。
【００６６】
〔実施の形態３〕
本発明の実施のさらに他の形態を図９ないし図１２に基づいて以下に説明する。
本実施の形態の画像読取装置は、図９および図１０に示す画像プリントシステム４１に適用されている。この画像プリントシステム４１は例えばコンビニエンスストアに設置される。画像プリントシステム４１は、スキャナ（読取手段）４３および前記液晶ディスプレイ３からなる画像読取装置４２を備えている。
【００６７】
スキャナ４３は、前記原稿カバー１１に代えて、原稿カバー４４を備えている。原稿カバー４４は、前述のように起伏可能であるとともに、図９および図１０に示すように、折り畳み（屈曲）可能となっている。即ち、原稿カバー４４は、開放時の回転における半径方向の中央部付近の位置から、回転半径を小さくするように屈曲可能である。なお、原稿カバー４４は起立させたときに、自動的に折り畳まれる構成であってもよい。スキャナ４３における他の構成は、前記スキャナ２と同様である。
【００６８】
画像プリントシステム４１は、さらに前記載置台５に代えて載置台４５を備えている。この載置台４５は、前記ディスプレイ支持部６に代るディスプレイ支持部（支持部材）４６を備えている。このディスプレイ支持部４６は、ディスプレイ支持部６と同様の形態を有するものの、原稿カバー４４が折り畳まれ、その起立状態において、液晶ディスプレイ３との衝突を回避するのに要する高さを低くできる分に応じて、前記ディスプレイ支持部６よりも高さが低くなっている。
【００６９】
上記の構成によれば、スキャナ４３の原稿カバー４４が折り畳み可能であることにより、ディスプレイ支持部４６の高さを前記ディスプレイ支持部６に比べて低くすることができる。この結果、上下方向において、スキャナ４３と液晶ディスプレイ３とを近づけて配置することができる。したがって、液晶ディスプレイ３を見ながらのスキャナ４３の操作が容易となる。また、タッチパネルである液晶ディスプレイ３をタッチ操作しながらスキャナ４３を操作する場合に、両者の操作が容易となる。さらに、ディスプレイ支持部４６の高さを低くできることから、スキャナ４３および液晶ディスプレイ３を備えた画像読取装置４２を小型化することができる。その他の構成および機能については、前述の画像読取装置９と同様である。
【００７０】
また、この場合においても、液晶ディスプレイ３は、図１１および図１２に示すように、スキャナ４３の背面側において垂直に立ち上がったディスプレイ支持部（支持部材）５４により支持され、スキャナ４３の背部位置の上方に設けられた構成であってもよい。この場合の画像プリントシステム５１は、上記ディスプレイ支持部５４を有する載置台５３を備えたものとなる。したがって、画像読取装置５２は、スキャナ４３、液晶ディスプレイ３およびディスプレイ支持部５４を備えたものとなる。なお、この画像読取装置５２では、ポインティングデバイスとしてマウス（ポインティングデバイス）５５を備えている。
【００７１】
この画像読取装置５２においても、液晶ディスプレイ３は、スキャナ４３の折り畳み可能な原稿カバー４４が起伏動作を行なうときにこれと干渉することがないよう、原稿カバー４４の回動領域よりも上方の位置に設けられている。ディスプレイ支持部５４以外の構成は、画像読取装置４２と同様であり、同様に、前記画像読取装置２４のディスプレイ支持部２３よりもディスプレイ支持部５４の高さを低くすることができる。これによる機能は、画像読取装置４２の場合と同様である。
【００７２】
なお、画像読取装置５２において、液晶ディスプレイ３がスキャナ２の左右方向においてスキャナ２の領域内に配されていること、および液晶ディスプレイ３がスキャナ２の前後方向においてスキャナ２の領域内に配することにより、それぞれ小型化が可能な点は、図７に示した前記画像読取装置２２と同様である。
【００７３】
また、上記の画像読取装置４２、５２においては、図８に示した画像読取装置３１と同様、ディスプレイ支持部４６、５４が、直接スキャナ４３のハウジングにおける後端部に取り付けられた構成としてもよい。この場合の機能については、画像読取装置３１と同様である。
【００７４】
また、上記の例においては、スキャナ４３が折り畳み可能な原稿カバー４４を備えたものとしているが、この原稿カバー４４に代えて、ゴムシート等、可撓性を有する原稿カバーを備えた構成としてもよい。この場合にも同様の機能を備えることができる。
【００７５】
〔実施の形態４〕
本発明の実施のさらに他の形態を図１３ないし図１５に基づいて以下に説明する。
本実施の形態の画像読取装置は、図１３に示す画像プリントシステム６１に適用されている。この画像プリントシステム６１は、例えばコンビニエンスストアに設置され、前記スキャナ２および液晶ディスプレイ６３からなる画像読取装置６２を備えている。
【００７６】
画像プリントシステム６１は、さらに前記載置台５に代えて載置台６５を備えている。この載置台６５は、前記ディスプレイ支持部６に代るディスプレイ支持部（支持部材）６６を備えている。このディスプレイ支持部６６は、前方へ傾斜する状態で斜め上方へ延びており、その上端部に液晶ディスプレイ６３が画像読取装置６２の正面側を向き、立ち上がった状態で設けられている。
【００７７】
液晶ディスプレイ６３は、例えばタッチパネルからなり、その前面に画像読取装置６２への入力を行なうための各種の入力キー６４等が設けられている。
【００７８】
画像読取装置６２は、ポインティングデバイスとしてのマウス５５を備えている。このマウス５５は、ディスプレイ支持部６６に設けられたマウス台（保持台）６７上に配されている。マウス台６７、即ちマウス５５は、スキャナ２の原稿カバー１１の開閉動作（起伏動作）に連動し、ディスプレイ支持部６６に形成されたマウス出入り口（開口部）６６ａを介して進退移動するようになっている。即ち、マウス台６７は、原稿カバー１１が閉じられたときにディスプレイ支持部６６の前面から前方へ進出し、原稿カバー１１が開放されたときにディスプレイ支持部６６の前面から後方へ退行するようになっている。原稿カバー１１の開閉動作に連動してマウス台６７を進退させる機構、即ちマウス台進退機構は、周知の機構を採用することができる。例えば、原稿カバー１１を開いたときにマウス台６７を後方位置へ引き込むワイヤ、および原稿カバー１１を閉じたときにマウス台６７を前方位置に復帰させる引っ張りばね６８からなる機構を採用可能である。その具体的な構成について、斜視図を図１４に、側面図を図１５に示す。
【００７９】
図１４および図１５に示すように、マウス台進退機構１２１は、アーム部材１２２、２段ギヤ１２３、ギヤ付きプーリ１２４、ワイヤ１２５、引っ張りばね６８、マウス台案内支持部材１２７および中継プーリ１２８を備えている。
【００８０】
アーム部材１２２は、ディスプレイ支持部６６を貫通して前後方向に進退移動可能にディスプレイ支持部６６に設けられている。アーム部材１２２は、前端部にコロ１２９を有し、上面にラック１２２ａを有している。
【００８１】
２段ギヤ１２３は同軸にかつ一体に設けられた小径ギヤ１２３ａと大径ギヤ１２３ｂとを有し、小径ギヤ１２３ａがアーム部材１２２のラック１２２ａと噛み合っている。ギヤ付きプーリ１２４はギヤ１２４ａとプーリ１２４ｂとが同軸にかつ一体に設けられており、ギヤ１２４ａが２段ギヤ１２３の大径ギヤ１２３ｂと噛み合っている。上記２段ギヤ１２３とギヤ付きプーリ１２４は、ディスプレイ支持部６６に設けられた保持部材１３０に回転可能に取り付けられている。
【００８２】
ワイヤ１２５は、一端部が前記プーリ１２４ｂに巻き取り可能に接続され、他端部が中継プーリ１２８を介してマウス台６７の前端部と接続されている。
【００８３】
マウス台案内支持部材１２７は、マウス台６７を前後方向へスライド可能に保持している。引っ張りばね６８は、マウス台６７を前方へ移動させるように、マウス台６７の後端部を付勢している。前方へのマウス台６７の移動は、その後端部の凸部６７ａがマウス台案内支持部材１２７の係止部１２７ａと当接することにより規制される。
【００８４】
上記のマウス台進退機構１２１により、原稿カバー１１が閉じられたとき、マウス台６７は、引っ張りばね６８に引っ張られて、ディスプレイ支持部６６の前面側へ進出した状態となる。このとき、ワイヤ１２５はプーリ１２４ｂから引き出された状態となり、この結果、アーム部材１２２も前方へ進出した状態となる。
【００８５】
一方、原稿カバー１１が開かれたとき、アーム部材１２２の前端部のコロ１２９が原稿カバー１１の上面に当接してアーム部材１２２が後方に押し込まれる。これにより、２段ギヤ１２３およびギヤ付きプーリ１２４が回転し、プーリ１２４ｂによりワイヤ１２５が巻き取られる。この結果、マウス台６７がディスプレイ支持部６６の前面側から後方へ退行する。
【００８６】
上記の構成によれば、例えば前方に傾斜して設けられたディスプレイ支持部６６を利用してマウス台６７を出し入れ可能に設けているので、スキャナ２の領域外へのマウス台６７の突出を抑制でき、画像読取装置２２を小型化することができる。また、原稿カバー１１の開閉動作に連動してマウス台６７を進退させているので、開放された原稿カバー１１がマウス台６７と衝突する事態を回避でき、原稿カバー１１の円滑な開閉、およびマウス５５の円滑な出し入れが可能となる。
【００８７】
なお、このようなマウス５５およびマウス台６７等を備えた構成は、他の画像読取装置においても当然適用可能である。
【００８８】
また、液晶ディスプレイ６３が原稿カバー１１の回動領域よりも上方の位置に設けられ、かつ前方へ進出した位置に配されている点、液晶ディスプレイ６３がスキャナ２の前後方向においてスキャナ２の領域内、さらには原稿カバー１１領域内に配されている点、液晶ディスプレイ６３がスキャナ２の左右方向においてスキャナ２の領域内に配されている点、およびこれら構成による機能は前述の通りである。
【００８９】
また、上記の画像読取装置６２においては、図８に示した画像読取装置３１と同様、ディスプレイ支持部６６が、直接スキャナ２のハウジングにおける後端部に取り付けられた構成としてもよい。
【００９０】
〔実施の形態５〕
本発明の実施のさらに他の形態を図１６ないし図１８に基づいて以下に説明する。
本実施の形態の画像読取装置は、図１６および図１７に示す画像プリントシステム７１に適用されている。この画像プリントシステム７１は、例えばコンビニエンスストアに設置され、スキャナ（読取手段）７３および前記液晶ディスプレイ３からなる画像読取装置７２を備えている。
【００９１】
画像プリントシステム７１は、さらに前記載置台５に代えて載置台７５を備えている。この載置台７５は、前記ディスプレイ支持部６に代るディスプレイ支持部（支持部材）７６を備えている。このディスプレイ支持部７６は、前方へ傾斜する状態で斜め上方へ延びる傾斜面７６ａを下部の前面に有し、上部の前面に液晶ディスプレイ３が設けられている。この液晶ディスプレイ３は、例えばタッチパネルからなる。
【００９２】
スキャナ７３の原稿カバー７４は前述のように開閉可能（起伏可能）である。また、原稿カバー７４は、開放時に、開放時の回転における半径方向の中央部付近から屈曲可能である。即ち、原稿カバー７４は、閉じたときに平板状になる一方、開放したときに屈曲して、下部７４ａがディスプレイ支持部７６の傾斜面７６ａに沿うとともに、上部７４ｂが下部７４ａに対して所定角度、例えばほぼ水平状態に保持される。
【００９３】
原稿カバー７４における上部７４ｂの上面には、各種入力キー７７、およびポインティングデバイス７８等が設けられている。
【００９４】
上記の構成において、画像読取装置７２にキー操作により原稿画像の読取条件やその他処理条件等を入力する場合には、原稿カバー７４を閉じた状態あるいは開放した状態とし、原稿カバー７４の入力キー７７やポインティングデバイス７８を使用して入力を行なう。なお、原稿カバー７４を閉じて使用するのは、例えば原稿がシート状のものである場合となり、原稿カバー７４を開いて使用するのは、例えば原稿が本などの厚みのあるものである場合となる。また、原稿カバー７４を開いたとき、原稿カバー７４の下部７４ａはディスプレイ支持部７６の傾斜面７６ａに沿う状態に固定され、上部７４ｂは水平状態に固定される。
【００９５】
このための機構は、例えば、図１６、図１８（ｂ）および図１８（ｃ）に示すように、原稿カバー７４における上部の下端部に鉤状部材１３１を設ける一方、図１８（ｂ）および図１８（ｃ）に示すように、ディスプレイ支持部７６に鉤係合部１３２を形成した構成であってもよい。この構成では、原稿カバー７４を開放してその上部を折り曲げたときに、原稿カバー７４の鉤状部材１３１がディスプレイ支持部７６の鉤係合部１３２に係合する。これにより、原稿カバー７４の下部７４ａはディスプレイ支持部７６の傾斜面７６ａに沿う状態に固定され、上部７４ｂは水平状態に固定される。なお、原稿カバー７４が閉じているときには、鉤状部材１３１は原稿カバー７４の下部７４ｂの凹部１３３に収まるようになっている。
【００９６】
その他にも、原稿カバー７４が開放されたときに例えば下部７４ａが傾斜面７６ａ側に嵌脱自在に嵌合して固定され、かつ下部７４ａと上部７４ｂの角度が例えばこれら両者に嵌脱自在に嵌合する平板状部材により固定される機構など、従来周知の機構を適宜採用可能である。
【００９７】
上記の構成によれば、スキャナ７３の原稿カバー７４を屈曲可能とし、その上面に各種入力キー７７やポインティングデバイス７８が設けられているので、別途キーボードやポインティングデバイスを設ける必要がない。これにより、画像読取装置７２では、スキャナ２の領域からのマウス台等の突出や画像読取装置７２を構成するユニット（例えばキーボード）等の増加を抑制でき、構成の簡素化かつ小型化が可能である。
【００９８】
なお、液晶ディスプレイ３が原稿カバー７４の回動領域よりも上方の位置に設けられ、かつ前方へ進出した位置に配されている点、液晶ディスプレイ３がスキャナ７３の前後方向においてスキャナ７３の領域内に配されている点、液晶ディスプレイ３がスキャナ７３の左右方向においてスキャナ７３の領域内に配されている点、およびこれら構成による機能は前述の通りである。
【００９９】
また、上記の画像読取装置７２においては、図８に示した画像読取装置３１と同様、ディスプレイ支持部７６が、直接スキャナ７３のハウジングにおける後端部に取り付けられた構成としてもよい。
【０１００】
また、以上の例では、スキャナの原稿カバーが画像読取装置の前後方向に開閉可能な場合について示したが、スキャナの原稿カバーは画像読取装置の左右方向に開閉可能であってもよい。この構成を図７に示した画像読取装置２２に適用した場合について示すと、図１９に示すものとなる。同図において、画像プリントシステム８１の画像読取装置８２は、左右方向に開閉可能な原稿カバー８４を有するスキャナ（読取手段）８３を備えたものとなっている。
【０１０１】
上記の構成においても、液晶ディスプレイ３が原稿カバー８４の回動領域よりも上方の位置に設けられている点、液晶ディスプレイ３がスキャナ８３の前後方向においてスキャナ８３の領域内に配されている点、液晶ディスプレイ３がスキャナ８３の左右方向においてスキャナ８３の領域内に配されている点を満たすことができ、これによって、同様に、液晶ディスプレイ３への原稿カバー８４の衝突を防止し、かつ画像読取装置８２の小型化を図ることができる。
【０１０２】
また、上記の画像読取装置８２においても、前述のように、原稿カバー８４が折り畳み可能な構成、ディスプレイ支持部２４の変更により液晶ディスプレイ３が前方へ進出した構成、あるいはディスプレイ支持部２４がスキャナ８３のハウジングに直接設けられた構成等、前述した各構成を適用可能である。
【０１０３】
また、以上の実施の形態において、画像読取装置は、小型化、軽量化の点からパネル形態の表示装置、例えば液晶ディスプレイを備えたものとしているが、表示装置は、これに限定されることなく、例えばＣＲＴからなるものであってもよい。
【０１０４】
【発明の効果】
以上のように、本発明の画像読取装置は、原稿載置台を覆う起伏可能な原稿カバーを有し、前記原稿載置台上の原稿画像を読み取る読取手段と、前記読取手段と電気的に接続された表示手段と、前記読取手段の後部側位置に設けられ、前記表示手段を、前記読取手段の上方位置かつ前記原稿カバ−における起伏動作の領域外の位置において、立ち上がった状態かつ読取手段の正面側を向いた状態に支持する支持部材とを備えている構成である。
【０１０５】
上記の構成によれば、原稿カバーを起立させたとき、原稿カバーが表示手段と衝突することがない。これにより、表示手段の損傷を防止することができる。また、例えば本などの厚みのある原稿画像の読み取りを行なうために原稿カバーを起立させた状態で読取手段を操作する場合に、原稿カバーにより表示手段の視認性が害される事態を回避することができる。
【０１０６】
また、前記表示手段は読取手段の上方位置に設けられているので、読取手段の左右方向において、読取手段の領域からの表示手段のはみ出しを抑制し、小型化が可能となる。
【０１０７】
上記の画像読取装置は、前記表示手段が、前記支持部材に支持され、前記読取手段の左右方向において前記読取手段の領域内に設けられている構成としてもよい。
【０１０８】
上記の構成によれば、画像読取装置は、表示手段が左右方向において読取手段からはみ出すことがない。この結果、読取手段の左右方向において読取手段よりも大きな設置スペースを必要とせず、小型の構成とすることができる。
【０１０９】
上記の画像読取装置は、前記表示手段が、前記支持部材に支持され、前記読取手段の前後方向において前記読取手段の領域内に設けられている構成としてもよい。
【０１１０】
上記の構成によれば、表示手段が前後方向において読取手段からはみ出すことがない。この結果、読取手段の前後方向における支持部材等のはみ出しを抑制でき、小型の構成とすることができる。
【０１１１】
上記の画像読取装置は、前記表示手段が、前記支持部材に支持され、前記読取手段の前後方向において、伏した状態の前記原稿カバーの領域内に設けられている構成としてもよい。
【０１１２】
上記の構成によれば、表示手段が前後方向において読取手段の原稿カバーからはみ出すことがなく、読取手段の前後方向における支持部材等のはみ出しをさらに確実に抑制でき、確実に小型化を促進することができる。
【０１１３】
上記の画像読取装置は、前記表示手段が、前記支持部材に支持され、前記読取手段の前後方向において前記読取手段の領域内に設けられ、かつ前記読取手段の後部側位置から前部側位置に進出した状態に設けられている構成としてもよい。
【０１１４】
上記の構成によれば、表示手段が読取手段の後部側位置から前部側位置に進出した状態に設けられているので、表示手段を支持する支持部材が読取手段の後部側位置に設けられている構成であっても、表示手段は画像読取装置を操作する使用者に接近することになる。したがって、使用者による表示手段の視認性が向上するとともに、表示手段がタッチパネルである場合にそのタッチ操作における操作性を向上することができる。
【０１１５】
さらに、表示手段が読取手段の後部側位置から前部側位置に進出した状態に設けられていることにより、表示手段が読取手段の後部側位置における真上方向に設けられている場合よりも、起伏動作において回動する原稿カバーと表示手段との干渉を回避するための表示手段の高さ位置を低くすることができる。これにより、使用者による表示手段に対する上記視認性および操作性をさらに高めることができる。
【０１１６】
上記の画像読取装置は、前記支持部材が、下部が前記読取手段の後部側位置から上方に延び、上部が下部に対して前記読取手段の前部側へ屈曲した形状を有している構成であってもよい。
【０１１７】
上記の構成によれば、起立状態に開放した原稿カバーが支持部材の下部に当接するまでの開放角度について大きい角度を確保することができる。
【０１１８】
上記の画像読取装置は、前記支持部材が、前記読取手段の後部側位置から、前記読取手段の前部側へ傾斜する状態で上方に延びている構成としてもよい。
【０１１９】
上記の構成によれば、表示手段を読取手段の後部側位置から前部側位置に進出させるための支持部材の形状を簡単なものとすることができ、支持部材の形成が容易となる。
【０１２０】
上記の画像読取装置において、前記支持部材は前記読取手段が載置された載置台に設けられている構成としてもよい。
【０１２１】
上記の構成によれば、支持部材を載置台の一部として形成することができ、支持部材の形成が容易となる。
【０１２２】
上記の画像読取装置において、前記支持部材は前記読取手段のハウジングに設けられている構成としてもよい。
【０１２３】
上記の構成によれば、画像読取装置は、読取手段、支持部材および表示手段が一体化された形態となるので、さらに小型化が可能となる。
【０１２４】
上記の画像読取装置は、前記表示手段が、前記支持部材に上下方向へ回動可能に取り付けられている構成としてもよい。
【０１２５】
上記の構成によれば、表示手段を上下方向に回動させて、使用者の身長に適合させることや反射光による視認性の低下を回避することなどを目的として、最適な角度に配することができる。
【０１２６】
上記の画像読取装置は、前記原稿カバーが、起立動作の際の回転半径を小さくするように屈曲可能に形成されている構成としてもよい。
【０１２７】
上記の構成によれば、表示手段の高さを低くすることができ、上下方向において、読取手段と表示手段とを近づけて配置することができる。したがって、表示手段を見ながらの読取手段の操作が容易となる。また、表示手段がタッチパネルである場合に、表示手段をタッチ操作しながらの読取手段の操作が容易となる。さらに、表示手段、即ち支持部材の高さを低くできることから、画像読取装置の小型化を促進することができる。
【０１２８】
上記の画像読取装置は、前記原稿カバーが、所定の起立位置に固定可能であるとともに、その起立位置において起立動作の回転中心側の下部に対して屈曲される上部を所定角度に固定可能であり、かつ前記上部における上面に前記読取手段への入力操作部が形成されている構成としてもよい。
【０１２９】
上記の構成によれば、原稿カバーを利用して入力操作部が設けられているので、別途独立した入力操作部、例えばキーボードやポインティングデバイス（例えばマウス）を設ける必要がない。これにより、読取手段の領域からのマウス台等の突出や画像読取装置を構成するユニット（例えばキーボード）等の増加を抑制でき、構成の簡素化かつ小型化が可能である。
【０１３０】
さらに、表示手段の高さを低くすることができ、上下方向において、読取手段と表示手段とを近づけて配置することができる。したがって、表示手段を見ながらの読取手段の操作が容易となる。また、表示手段がタッチパネルである場合に、表示手段をタッチ操作しながらの読取手段の操作が容易となる。さらに、表示手段、即ち支持部材の高さを低くできることから、画像読取装置の小型化を促進することができる。
【０１３１】
上記の画像読取装置において、前記読取手段には前記表示手段の画面上での入力操作を行なうためのポインティングデバイスが接続され、このポインティングデバイスを保持する保持台が前記支持部材に形成された開口部に配され、前記保持台が、前記原稿カバーの起立動作に応じて支持部材の前面側へ進出し、前記原稿カバーの伏せ動作に応じて前記支持部材の背面側へ退行するように設けられている構成としてもよい。
【０１３２】
上記の構成によれば、支持部材を利用してポインティングデバイス（例えばマウス）を設けているので、読取手段の領域外への保持台（例えばマウス台）の突出を抑制でき、小型化が可能である。また、原稿カバーの開閉動作に応じて保持台が進退移動するので、起立状態に開放された原稿カバーが保持台と衝突する事態を回避でき、原稿カバーの円滑な起伏動作、および保持台（ポインティングデバイス）の円滑な出し入れが可能となる。
【０１３３】
上記画像読取装置は、前記表示手段が、表示面上でのタッチ入力が可能なタッチパネルからなる構成としてもよい。
【０１３４】
上記の構成によれば、表示手段の機能を高め、画像読取装置の利便性を向上することができる。
【０１３５】
上記の画像読取装置は、前記表示手段がパネル形態をなしている構成としてもよい。上記の構成によれば、画像読取装置の軽量化と小型化を促進することができる。
【図面の簡単な説明】
【図１】本発明の実施の一形態における画像読取装置を備えた画像プリントシステムの構成を示す斜視図である。
【図２】図１に示した画像プリントシステムの使用状態を示す側面図である。
【図３】図１に示したスキャナの構成を示す説明図である。
【図４】図１に示した画像読取装置の平面図である。
【図５】図１に示した画像プリントシステムに対する比較例であって、スキャナに原稿カバーと重なり合う状態で液晶ディスプレイが起伏可能に設けられた構成の場合の使用状態を示す側面図である。
【図６】図１に示した画像プリントシステムに対する他の比較例であって、液晶ディスプレイが原稿カバーとの干渉を回避可能な上方位置に配されていない構成の場合の使用状態を示す側面図である。
【図７】本発明の実施の他の形態における画像読取装置を備えた画像プリントシステムであって、液晶ディスプレイが図１の場合とは異なる構造により支持されている場合の使用状態を示す側面図である。
【図８】本発明の実施のさらに他の形態の画像読取装置を示すものであって、ディスプレイ支持部材が直接スキャナに設けられている場合の斜視図である。
【図９】本発明の実施のさらに他の形態における画像読取装置を備えた画像プリントシステムを示すものであって、スキャナが折り畳み可能な原稿カバーを備えている場合の斜視図である。
【図１０】図９に示した画像プリントシステムの使用状態を示す側面図である。
【図１１】本発明の実施のさらに他の形態における画像読取装置を備えた画像プリントシステムを示すものであって、スキャナが折り畳み可能な原稿カバーを備え、液晶ディスプレイが図９の場合とは異なる構造により支持されている場合の斜視図である。
【図１２】図１１に示した画像プリントシステムの使用状態を示す側面図である。
【図１３】本発明の実施のさらに他の形態における画像読取装置を備えた画像プリントシステムを示す斜視図である。
【図１４】図１３に示した画像プリントシステムにおいて、マウス台進退機構を具体的に示した斜視図である。
【図１５】図１４に示した画像プリントシステムの側面図である。
【図１６】本発明の実施のさらに他の形態における画像読取装置を備えた画像プリントシステムを示す斜視図である。
【図１７】図１６に示した画像プリントシステムの使用状態を示す側面図である。
【図１８】図１８（ａ）は、図１６に示した画像プリントシステムの側面図、図１８（ｂ）は、原稿カバーの開放時に原稿カバーの上部を水平状態に固定するための機構の説明図、図１８（ｃ）は同機構により原稿カバーの上部を水平状態に固定した状態を示す説明図である。
【図１９】本発明の実施のさらに他の形態における画像読取装置を備えた画像プリントシステムを示す斜視図である。
【図２０】従来の画像読取装置を示す斜視図である。
【図２１】従来の他の画像読取装置を示す正面図である。
【符号の説明】
1,21,41,51,61,71,81   画像プリントシステム
2,43,73,83            スキャナ（読取手段）
3,63                  液晶ディスプレイ
5,23,45,53,65,75      載置台
6,24,46,54,66,76      ディスプレイ支持部（支持部材）
9,22,42,52,62,72,82   画像読取装置
11,44,74,84           原稿カバー
32                    ディスプレイ支持部材（支持部材）
55                    マウス（ポインティングデバイス）
64                    入力キー
66a                   マウス出入り口（開口部）
67                    マウス台（保持台）
74a                   下部
74b                   上部
77                    入力キー
78                    ポインティングデバイス
【図１】
0004090718.tif 000002
【図２】
0004090718.tif 000003
【図３】
0004090718.tif 000004
【図４】
0004090718.tif 000005
【図５】
0004090718.tif 000006
【図６】
0004090718.tif 000007
【図７】
0004090718.tif 000008
【図８】
0004090718.tif 000009
【図９】
0004090718.tif 000010
【図１０】
0004090718.tif 000011
【図１１】
0004090718.tif 000012
【図１２】
0004090718.tif 000013
【図１３】
0004090718.tif 000014
【図１４】
0004090718.tif 000015
【図１５】
0004090718.tif 000016
【図１６】
0004090718.tif 000017
【図１７】
0004090718.tif 000018
【図１８】
0004090718.tif 000019
【図１９】
0004090718.tif 000020
【図２０】
0004090718.tif 000021
【図２１】
0004090718.tif 000022